(57)【要約】  マルチタッチ式タッチパネルおよびタッチを検知する方法が開示される。このタッチパネルは、タッチパネルのアクティブ領域においてそれぞれのユーザ入力デバイスを機械的に据え付けるように選択されたサイズを有する少なくとも１つの穴を備える。
2020520015.tif 000002
【特許請求の範囲】
【請求項１】
タッチパネルのアクティブ領域において、それぞれのユーザ入力デバイスを機械的に据え付けるように選択されたサイズを有する少なくとも１つの穴を備えるマルチタッチ式タッチパネル。
【請求項２】
前記ユーザ入力デバイスが、ボタンもしくはスライダ、動く／回転するダイヤルまたはＮＦＣリーダを備える、請求項１に記載のマルチタッチ式タッチパネル。
【請求項３】
各穴が貫通穴または凹部領域である、請求項１に記載のマルチタッチ式タッチパネル。
【請求項４】
前記少なくとも１つの穴が、基板を貫通する１つまたは複数の穴であり、前記タッチパネルの一部分を形成し、前記タッチパネルのタッチセンサの機能性の範囲内で非タッチアクティブである、請求項１から３のいずれか一項に記載のマルチタッチ式タッチパネル。
【請求項５】
タッチパネルにおける前記非タッチアクティブエリアまたはそれぞれの非タッチアクティブエリアが、電気的に絶縁された導体をルーティングして、各穴のまわりに、電気的に絶縁された導体のための経路を設けることにより達成される、請求項４に記載のマルチタッチ式タッチパネル。
【請求項６】
タッチコントローラの内部の信号処理アルゴリズムにより、センサ動作の機能性の範囲内で非タッチエリアが定義されることが可能になる、請求項４または５に記載のマルチタッチ式タッチパネル。
【請求項７】
穴を必要とするそれぞれのユーザ入力デバイスに関連した所定エリアの内部のセンサにおいてタッチ機能性の感度が減じられる、請求項４から６のいずれか一項に記載のマルチタッチ式タッチパネル。
【請求項８】
マルチタッチが、前記マルチタッチ式タッチパネルにおける前記非活性穴のまわりの直近で活性化される、請求項４から７のいずれか一項に記載のマルチタッチ式タッチパネル。
【請求項９】
少なくとも１つの除外される区画を含むタッチパネルの感知面におけるタッチを検知するための方法であって、タッチパネル上の、可能性のあるタッチの位置を判定するステップと、前記位置が前記タッチパネルのアクティブ領域において前記除外される区画に関連づけられているかどうかを判定するステップと、前記位置が前記除外される区画に関連づけられていなければ、検知されたタッチを示すステップとを含む方法。
【請求項１０】
前記位置が、前記除外される区画に関連づけられているかどうかを判定する前記ステップが、前記位置に関連したセルが、除外されるセルインデックスのリストに含まれるセルインデックスを有するセルであるかどうかを判定するステップを含む、請求項９に記載の方法。
【請求項１１】
前記セルインデックスが前記除外されるセルインデックスのリストに含まれる場合には、検知されたタッチが示されるのを防止するステップをさらに含む、請求項１０に記載の方法。
【請求項１２】
前記除外される区画が正方形または長方形の形状を有する、請求項９から１１のいずれか一項に記載の方法。
【請求項１３】
前記位置が前記除外される区画に関連づけられているかどうかを判定する前記ステップが、前記位置に関する補間されたタッチ位置が前記除外される区画に対応する所定の禁止エリアの内部にあるかどうかを判定するステップを含む、請求項９から１２のいずれか一項に記載の方法。
【請求項１４】
前記補間されたタッチ位置が前記禁止された所定エリアの内部にある場合には、検知されたタッチが示されるのを防止するステップをさらに含む、請求項１３に記載の方法。
【請求項１５】
前記所定の禁止エリアが、前記タッチパネルの前記アクティブ領域に相関する仮想フィールドの領域である、請求項１３または１４に記載の方法。
【請求項１６】
前記除外される区画が、正方形、または長方形、または円形、または三角形、または不規則な形状を有する、請求項９から１５のいずれか一項に記載の方法。
【請求項１７】
前記除外される区画が、ユーザ入力デバイスの形状に対応する形状を有する、請求項９から１６のいずれか一項に記載の方法。
【請求項１８】
前記ユーザ入力デバイスが、機械的ボタンもしくはスライダなどの機械的入力デバイスまたはＮＦＣリーダなどの非接触入力デバイスである、請求項１７に記載の方法。
【請求項１９】
それぞれの除外される区画が、前記タッチパネルの基板のそれぞれの貫通穴または凹部を備える穴の形状に対応する形状を有する、請求項９から１８のいずれか一項に記載の方法。
【請求項２０】
ホストコンピュータによって、前記タッチパネルの前記アクティブエリアにおいて検知されたタッチを示すタッチ信号を受け取るステップと、前記アクティブエリアに配置された少なくとも１つのユーザ入力デバイスから入力信号を受け取るステップとをさらに含む、請求項９から１９のいずれか一項に記載の方法。
【請求項２１】
前記ユーザ入力デバイスにおけるユーザ入力に応答して、賭博ルールの所定のセットに従って賭金を決めるステップをさらに含む、請求項９から２０のいずれか一項に記載の方法。
【請求項２２】
タッチパネル上の、可能性のあるタッチの位置を判定するステップと、前記位置が前記タッチパネルの除外されるアクティブ領域に関連づけられているかどうかを判定するステップと、前記位置が前記除外される区画に関連づけられていなければ、検知されたタッチを示すステップとにより、少なくとも１つの除外される区画を含むタッチパネルの感知面におけるタッチを検知する方法を遂行するように配置されたタッチコントローラのコンピュータまたはマイクロプロセッサによって実行可能なコンピュータプログラムまたはコンピュータコード。
【請求項２３】
少なくとも１つの穴を備える透明基板と、パターンに配置された複数のセンサ電極および複数の駆動電極を含んで前記基板の表面に近接した電極グリッドとを備えるタッチパネルであって、前記センサ電極と駆動電極が、いずれかの穴の縁部領域の少なくとも一部分のまわりに複数の電極をルーティングするパターンに配置されている、タッチパネル。
【請求項２４】
穴のまわりにルーティングされない各センサ電極が、繰返し型の入り組んだ経路を辿り、穴のまわりにルーティングされない各駆動電極が、繰返し型の入り組んだ経路を辿る、請求項２３に記載のタッチパネル。
【請求項２５】
各センサ電極と各駆動電極がそれぞれの交差ポイントにおいて交差し、各交差ポイントが、前記タッチパネルのそれぞれのセルインデックスを有するそれぞれのセルの中心を定義する、請求項２３または２４に記載のタッチパネル。
【請求項２６】
前記セルが前記グリッドの穴から遠位にある領域においてモザイク模様にされる、請求項２５に記載のタッチパネル。
【請求項２７】
各穴の縁部領域における所定の余地の範囲内には電極の部分がない、請求項２３から２６のいずれか一項に記載のタッチパネル。
【請求項２８】
電極が、前記穴のまわりに、前記縁部領域の隣接した部分から間隔を置いて平行に回避する経路部分を含む経路に沿ってルーティングされる、請求項２３から２７のいずれか一項に記載のタッチパネル。
【請求項２９】
それぞれのルート変更された電極が、穴から遠位にあるセルにおいて一般に辿られる経路に相当する通常の経路を、電極経路の前記通常の経路が穴の縁部領域の所定距離の範囲内に延在するまで辿り、その点で直ちに、前記電極経路が局所的縁部領域に対して直角に曲げられる、請求項２３から２８のいずれか一項に記載のタッチパネル。
【請求項３０】
前記電極経路が、前記局所的縁部領域に対して直角に曲がった後に直線の経路部分において延在し、次いで、前記直線の経路部分に対して直角な方向に回避する経路部分へとさらに曲げられ、そこで、前記電極経路は、前記縁部領域の隣接部分に対して間隔を置いて平行に延びる、請求項２９に記載のタッチパネル。
【請求項３１】
各穴の前記縁部領域または各穴の所定の余地を加えた前記縁部領域が、前記タッチパネルのアクティブ領域において除外される区画に相当する、請求項２９または３０に記載のタッチパネル。
【請求項３２】
基板および前記基板の第１の表面に近接した電極グリッドを備えるタッチパネルと、前記タッチパネルに近接した表示器と、前記電極グリッドのセンサ電極から信号を受け取って、可能性のあるタッチの位置が、前記タッチパネルのアクティブ領域において除外される区画に関連づけられていない場合のみ、検知されたタッチを示すタッチ検知器とを備える、タッチスクリーンシステム。
【請求項３３】
前記タッチパネルの前記基板が少なくとも１つの穴を備え、前記穴の縁部のまわりに前記電極グリッドの複数の電極がルーティングされる、請求項３２に記載のタッチスクリーンシステム。
【請求項３４】
前記タッチ検知器が、除外されるセルインデックスのリストを備える、請求項３２または３３に記載のタッチスクリーンシステム。
【請求項３５】
前記タッチ検知器が、前記タッチパネルの前記アクティブ領域に相関する仮想フィールドに関連する値を記憶し、それぞれの除外される区画に関する仮想フィールドの領域として禁止エリアを含む、請求項３２から３４のいずれか一項に記載のタッチスクリーンシステム。
【請求項３６】
前記タッチ検知器が、補間されたタッチ位置が前記禁止エリアの内部にあるかどうかを判定する、請求項３５に記載のタッチスクリーンシステム。
【請求項３７】
前記タッチパネルの前記基板の各穴が貫通穴または凹部を備える、請求項３３から３６のいずれか一項に記載のタッチスクリーンシステム。
【請求項３８】
コンピュータシステムであって、命令を実行してコンピュータシステムに関連した動作を実行するように構成されたプロセッサと、前記プロセッサに対して動作可能に結合された表示デバイスと、タッチスクリーンであって、アクティブエリアと、少なくとも部分的に前記タッチスクリーンの前記アクティブエリアの内部にある１つまたは複数のユーザ入力デバイスとに関連したタッチスクリーンとを備える、コンピュータシステム。
【請求項３９】
それぞれのユーザ入力デバイスが、前記タッチスクリーンの前記アクティブエリアの内部に、ボタンまたはスライダ等の機械的入力デバイスを全体的または部分的に備える、請求項３８に記載のコンピュータシステム。
【請求項４０】
前記タッチスクリーンによって供給された、可能性のあるタッチが、前記タッチスクリーンの前記アクティブエリアにおけるユーザデバイスに関連した除外されるエリアに含まれる場合には無視される、請求項３８に記載のコンピュータシステム。
【請求項４１】
除外されるセルインデックスのリストの中のセルインデックスを有するセルに関連した、可能性のあるタッチが無視される、請求項３８に記載のコンピュータシステム。
【請求項４２】
前記タッチパネルの前記アクティブ領域に相関する仮想フィールドの領域である禁止エリアに含まれる補間されたタッチが無視される、請求項３８に記載のコンピュータシステム。
【発明の詳細な説明】
【技術分野】
【０００１】
本発明は表示装置に関する。特に、しかし排他的ではなく、本発明は、ともにタッチスクリーンをもたらす組み合わされた表示器およびタッチパネルに関し、このタッチスクリーンは、表示器の視覚エリアとタッチパネルのタッチセンシティブ領域の両方である領域の内部に全体的または部分的に組み込まれた少なくとも１つのユーザ入力デバイスを含む。
【背景技術】
【０００２】
人間のオペレータと相互作用することができ、それによって選択を示す入力をもたらす多くの入力デバイスが知られている。たとえば、従来の入力デバイスは、機械的ボタン、キー、トラックボールまたはスライダのような機械的入力デバイスを含む。タッチスクリーンまたはＮＦＣリーダのような他のタイプの入力デバイスも知られている。特にタッチスクリーンはますます普及しており、ユーザが選択することを可能にし、下にある表示スクリーンに表示された領域に関連づけられた１つまたは複数の場所においてタッチパネルの表面に接触することによって選択肢を示す。タッチパネルの面において検知されたタッチ位置を、下にある表示器の面における対応する表示位置と関連づけることにより、ユーザは１つまたは複数の選択肢を選択することができる。そのような選択は、命令を示すため、または他の多くの目的のために使用され得る。
【０００３】
従来、タッチスクリーンは、タッチパネル、コントローラおよびソフトウェアドライバを含む。タッチパネルはタッチセンシティブ表面を有する透明なパネルである。タッチパネルは、タッチセンシティブ表面が表示スクリーンの可視エリアをカバーするように、表示器の前方に位置する。タッチパネルおよび関連するスクリーンは、ともにタッチスクリーンまたは表示装置と称され得る。
【０００４】
抵抗性、容量性、赤外線、表面弾性波の技術を含む、利用可能な様々なタイプのタッチスクリーン技術がある。
【０００５】
特定のユーザによって、タッチスクリーンと、タッチスクリーンを利用した選択とが、望まない選択肢を偶発的に示しがちであるという懸念が表明されている。すなわち、タッチスクリーンを使用すると、比較的容易に誤って望まない選択を偶発的にするという懸念を表明した人がいる。タッチスクリーンは、多くの状況においてそのような誤りなしで動作しているが、この点に関する人々の懸念を軽くすることができるようにとの要求がある。その上、特別な分野において特別なタイプの機械的入力デバイスを使用することが周知であって人間のユーザがそのような使用法に十分に熟達している場合には、特定のキー決定を下すために利用され得る、またはタッチスクリーン技術と組み合わせて使用され得る、他の機械式入力デバイスを用いるタッチスクリーン技術を組み込むことができるようにとの要求がある。
【０００６】
機械式ボタンを用いるタッチスクリーン表示装置を組み込み得るのが望ましい状況の一例には賭博産業がある。特定の賭博機が周知である。これらの賭博機は賭博ルールに従って動作し、人間のオペレータは、一般的にはアートワークおよび／または表示スクリーンを含むユーザインターフェース、ならびに賭金および選択肢を示し得るある形態のユーザインターフェースを介して、資金を投資することができる。従来、そのような機械は機械的ボタンタイプの機械であったが、最近になって、賭博産業ではタッチスクリーンを使用する傾向が認められている。しかしながら、特定のユーザの間で、特定の「大きな」賭けをする場合には、純粋なタッチスクリーンベースの賭博デバイスを使用することに抵抗がある。
【０００７】
従来、この問題の特定の解決策では、従来の機械式ボタンによって囲まれた小さいタッチスクリーン、または大きなＬＣＤスクリーンの上に小さいタッチスクリーンを載せたものが使用されている。この後者の解決策では、下にあるＬＣＤスクリーンの大きなエリアがマスクされ、マスキングの開口がタッチスクリーンと整列している。タッチスクリーンのアクティブ領域からオフセットされた機械式ボタンが、下にある表示器の周辺部分の上に重なって配置されている。これらの解決策は、複数の理由のために承諾しがたいものであった。第１に、従来の隣接した機械的ボタンを有する小型表示器およびタッチスクリーンの場合には、ユーザインターフェースの体験が制限され、ユーザに提供された競技台表面の大きな領域は未使用のままである。ボタンが視覚エリアの外にある後者の場合には、高くつく比較的大きな表示器が使用され、未使用の「土地」の大きなエリアによってユーザ体験が弱められる。
【先行技術文献】
【特許文献】
【０００８】
【特許文献１】英国特許第２５０２６０１号明細書
【発明の概要】
【発明が解決しようとする課題】
【０００９】
本発明の目的は、前述の問題を少なくとも部分的に軽減することである。
【００１０】
本発明の特定の実施形態の目的は、タッチパネルを通って全体的または少なくとも部分的に突出して、下にある表示器と、ボタンまたはスライダ等の１つまたは複数のユーザ入力デバイスを有する容量性タッチパネルとを組み込むハイブリッド表示装置を提供することである。
【００１１】
特定の実施形態の目的は、複数のタッチを同時に検知してタッチの場所を表す別個の信号を生成するタッチパネルであって、そのアクティブ領域の内部に、全体的または少なくとも部分的に配置されてユーザに利用されるボタンまたはスライダ等の１つまたは複数の機械的入力デバイスが入力を供給することも可能にするように構成された透明な容量性感知媒体を有するタッチパネルを提供することである。したがって、それぞれの機械的入力デバイスは、タッチスクリーンのアクティブエリアの内部に少なくとも部分的または全体的に存在し得る対応する穴または凹部において機械的に取り付けられることが理解されよう。
【００１２】
本発明の特定の実施形態の目的は、グラフィカルユーザインターフェースを表示するためのスクリーンを有する表示器を含む表示装置を提供することである。
【００１３】
本発明の特定の実施形態の目的は、透明なタッチパネルの表面から１つまたは複数の実際のタッチと、タッチパネルのアクティブ領域の内部に配置されたボタンまたはスライダ等の機械的入力デバイスの押し下げとを同時に受け取ることができるコンピュータ実施方法を提供することである。
【００１４】
本発明の特定の実施形態の目的は、命令を実行してコンピュータシステムに関連した動作を実行するとともに、タッチパネルからの信号およびタッチスクリーンのアクティブエリアの内部にある１つまたは複数の機械的入力デバイスからの信号を受け取ることができるように構成されたプロセッサを含む、コンピュータシステムを提供することである。
【課題を解決するための手段】
【００１５】
本発明の第１の態様によれば、それぞれのユーザ入力デバイスを機械的に据え付けるように選択されたサイズを有する少なくとも１つの穴をタッチパネルのアクティブ領域に備えるマルチタッチ式タッチパネルが提供される。
【００１６】
適切には、ユーザ入力デバイスは、ボタンもしくはスライダ、動く／回転するダイヤルもしくはレバー、またはＮＦＣリーダを備える。
【００１７】
適切には、各穴は貫通穴または凹部領域である。
【００１８】
適切には、各穴はガラス基板またはプラスチック基板の穴である。
【００１９】
適切には、タッチパネルの一部分を形成する基板を貫通する１つまたは複数の穴は、タッチセンサの機能性の範囲内で非タッチアクティブである。
【００２０】
適切には、タッチパネルにおける前記非タッチアクティブエリアまたはそれぞれの非タッチアクティブエリアは、電気的に絶縁された導体をルーティングして、各穴のまわりに、電気的に絶縁された導体の経路を設けることにより達成される。
【００２１】
適切には、タッチコントローラの内部の信号処理アルゴリズムにより、センサ動作の機能性の範囲内で非タッチエリアを定義することが可能になる。
【００２２】
適切には、基板における穴を必要とするそれぞれのユーザ入力デバイスに関連した所定エリアの内部のセンサにおいて、タッチ機能性の感度が減じられる。
【００２３】
適切には、マルチタッチは、マルチタッチ式タッチパネルにおける非アクティブ穴のまわりの直近で活性化される。
【００２４】
本発明の第２の態様によれば、マルチタッチの感知パネル装置が提供され、タッチセンシティブタッチパネルの電極をもたらすために使用される電気的に絶縁された導体の導線の直径はおよそ４〜４０ミクロンである。
【００２５】
適切には、電気的に絶縁された導体の直径は５〜１８ミクロンである。
【００２６】
本発明の第３の態様によれば、表示スクリーン用のマルチタッチの感知パネルが提供される。
【００２７】
適切には、タッチパネルは、複数の交差ポイントにおいて互いに交差する電気的に絶縁された複数の導体と、タッチ検知器とを含むパネルを備え、前記タッチ検知器は、交差ポイントにおいて交差する導体間の容量結合によって伝達されるエネルギーの減少または増加を検知することによってユーザタッチを検知するように配置されている。
【００２８】
適切には、所与の交差ポイントにおいて検知される容量結合エネルギーの減少または増加は、その交差ポイントにおいて検知されるユーザタッチに対応する。
【００２９】
適切には、電気的に絶縁された複数の導体の各々が、絶縁被覆で個々に絶縁された導線を備える。
【００３０】
本発明の第４の態様によれば、少なくとも１つの除外される区画を含むタッチパネルの感知面においてタッチを検知するための方法が提供され、この方法は、タッチパネル上の、可能性のあるタッチの位置を判定するステップと、前記位置がタッチパネルのアクティブ領域において除外される区画に関連づけられているかどうかを判定するステップと、前記位置が、除外される区画に関連づけられていない場合には、検知されたタッチを示すステップとを含む。
【００３１】
適切には、前記位置が、除外される区画に関連づけられているかどうかを判定するステップは、前記位置に関連したセルが、除外されるセルインデックスのリストに含まれるセルインデックスを有するセルであるかどうかを判定するステップを含む。
【００３２】
適切には、この方法は、前記セルインデックスが前記除外されるセルインデックスのリストに含まれる場合には、検知されたタッチが示されるのを防止するステップをさらに含む。
【００３３】
適切には、除外される区画は正方形または長方形の形状を有する。
【００３４】
適切には、前記位置が、除外される区画に関連づけられているかどうかを判定するステップは、前記位置に関する補間されたタッチ位置が、除外される区画に対応する所定の禁止エリアの内部にあるかどうかを判定するステップを含む。
【００３５】
適切には、この方法は、補間されたタッチ位置が禁止された所定エリアの内部にある場合には、検知されたタッチが示されるのを防止するステップを含む。
【００３６】
適切には、所定の禁止エリアは、タッチパネルのアクティブ領域に相関する仮想フィールドの領域である。
【００３７】
適切には、除外される区画は、正方形、または長方形、または円形、または三角形、または不規則な形状を有する。
【００３８】
適切には、除外される区画は、ユーザ入力デバイスの形状に対応する形状を有する。
【００３９】
適切には、ユーザ入力デバイスは、機械的ボタンもしくはスライダなどの機械的入力デバイス、またはＮＦＣリーダなどの非接触入力デバイスである。
【００４０】
適切には、それぞれの除外される区画は、タッチパネルの基板のそれぞれの貫通穴または凹部を備える穴の形状に対応する形状を有する。
【００４１】
適切には、この方法は、ホストコンピュータによって、タッチパネルのアクティブエリアにおいて検知されたタッチを示すタッチ信号を受け取るステップと、アクティブエリアに配置された少なくとも１つのユーザ入力デバイスから入力信号を受け取るステップとをさらに含む。
【００４２】
適切には、この方法は、ユーザ入力デバイスにおけるユーザ入力に応答して、賭博ルールの所定のセットに従って賭金を決めるステップをさらに含む。
【００４３】
本発明の第５の態様によれば、タッチパネル上の、可能性のあるタッチの位置を判定するステップと、前記位置がタッチパネルの除外されるアクティブ領域に関連づけられているかどうかを判定するステップと、前記位置が、除外される区画に関連づけられていない場合には、検知されたタッチを示すステップとによって、少なくとも１つの除外される区画を含むタッチパネルの感知面においてタッチを検知する方法を遂行するように配置されたタッチコントローラのコンピュータまたはマイクロプロセッサによって実行可能なコンピュータプログラムまたはコンピュータコードが提供される。
【００４４】
本発明の第６の態様によれば、少なくとも１つの穴を備える透明基板と、いずれかの穴の縁部領域の少なくとも一部分のまわりに複数の電極をルーティングするパターンに配置された複数のセンサ電極および複数の駆動電極を含んで基板の表面に近接した電極グリッドとを備えるタッチパネルが提供される。
【００４５】
適切には、穴のまわりにルーティングされない各センサ電極は、繰返し型の入り組んだ経路を辿り、穴のまわりにルーティングされない各駆動電極は繰返し型の入り組んだ経路を辿る。
【００４６】
適切には、各センサ電極と各駆動電極がそれぞれの交差ポイントにおいて交差し、各交差ポイントが、タッチパネルのそれぞれのセルインデックスを有するそれぞれのセルの中心を定義する。
【００４７】
適切には、セルは、グリッドの穴から遠位にある領域においてモザイク模様にされる。
【００４８】
適切には、各穴の縁部領域における所定の余地の範囲内には電極の部分がない。
【００４９】
適切には、電極は、穴のまわりに、縁部領域の隣接した部分から間隔を置いて平行に回避する経路部分を含む経路に沿ってルーティングされる。
【００５０】
適切には、それぞれのルート変更された電極は、穴から遠位にあるセルにおいて一般に辿られる経路に相当する通常の経路を、電極経路の通常の経路が穴の縁部領域の所定距離の範囲内に延在するまで辿り、その点で直ちに、電極経路は局所的縁部領域に対して直角に曲げられる。
【００５１】
適切には、電極経路は、局所的縁部領域に対して直角に曲がった後に直線の経路部分において延在し、次いで、直線の経路部分に対して直角な方向に回避する経路部分へとさらに曲げられ、そこで、電極経路は、縁部領域の隣接部分に対して間隔を置いて平行に延びる。
【００５２】
適切には、各穴の縁部領域または各穴の所定の余地を加えた縁部領域が、タッチパネルのアクティブ領域において除外される区画に相当する。
【００５３】
本発明の第７の態様によれば、基板およびこの基板の第１の表面に近接した電極グリッドを備えるタッチパネルと、タッチパネルに近接した表示器と、電極グリッドのセンサ電極から信号を受け取って、可能性のあるタッチの位置が、タッチパネルのアクティブ領域において除外される区画に関連づけられていない場合のみ、検知されたタッチを示すタッチ検知器とを備えるタッチスクリーンシステムが提供される。
【００５４】
適切には、タッチパネルの基板は少なくとも１つの穴を備え、穴の縁部のまわりに電極グリッドの複数の電極がルーティングされる。
【００５５】
適切には、タッチ検知器は、除外されるセルインデックスのリストを備える。
【００５６】
適切には、タッチ検知器は、タッチパネルのアクティブ領域に相関する仮想フィールドに関連する値を記憶し、それぞれの除外される区画に関する仮想フィールドの領域としての禁止エリアを含む。
【００５７】
適切には、タッチ検知器は、補間されたタッチ位置が禁止エリアの内部にあるかどうかを判定する。
【００５８】
適切には、タッチパネルの基板の各穴は、貫通穴または凹部を備える。
【００５９】
本発明の第８の態様によれば、命令を実行してコンピュータシステムに関連した動作を実行するように構成されたプロセッサと、プロセッサに対して動作可能に結合された表示デバイスと、タッチスクリーンであって、アクティブエリアと、少なくとも部分的にタッチスクリーンのアクティブエリアの内部にある１つまたは複数のユーザ入力デバイスとに関連したタッチスクリーンとを備えるコンピュータシステムが提供される。
【００６０】
適切には、それぞれのユーザ入力デバイスは、タッチスクリーンのアクティブエリアの内部に、ボタンまたはスライダ等の機械的入力デバイスを全体的または部分的に備える。
【００６１】
適切には、タッチスクリーンによって供給された、可能性のあるタッチは、タッチスクリーンのアクティブエリアにおけるユーザデバイスに関連した除外されるエリアに含まれる場合には無視される。
【００６２】
適切には、除外されるセルインデックスのリストの中のセルインデックスを有するセルに関連した、可能性のあるタッチは、無視される。
【００６３】
適切には、タッチパネルのアクティブ領域に相関する仮想フィールドの領域である禁止エリアに含まれる補間されたタッチは無視される。
【００６４】
本発明の第９の態様によれば、マルチタッチの感知パネルが提供され、前面の保護層はガラスまたはプラスチックの基板であって、ボタン、スライダ、動く／回転するダイヤル、ＮＦＣリーダ等のユーザ入力デバイスを機械的に据え付けるための可変サイズの１つまたは複数の穴を含む。
【００６５】
本発明の特定の実施形態は、アクティブエリアと、タッチパネルのアクティブエリアの内部にある、または少なくとも部分的にアクティブエリアの内部にある、１つまたは複数のボタンなど１つまたは複数のユーザ入力デバイスとを有する容量性タッチパネルを内蔵するハイブリッド表示装置を提供するものである。
【００６６】
本発明の特定の実施形態は、ユーザ入力信号を供給するように同様に利用され得るタッチパネルのアクティブエリアの内部のボタンなどの少なくとも１つの機械的入力デバイスとともに、複数のタッチを同時に検知することができる透明な容量性感知媒体を含むタッチスクリーン用のタッチパネルを提供するものである。
【００６７】
本発明の特定の実施形態は、タッチスクリーン上の１つまたは複数の実際のタッチと、タッチスクリーンのアクティブ領域の内部に配置された機械的入力デバイスの押し下げまたはスライドの行動とを、同時またはほぼ同時に受け取るためのコンピュータ実施方法を提供するものである。
【００６８】
本発明の特定の実施形態は、ユーザが賭けるためにタッチスクリーンのアクティブ領域の内部のタッチスクリーンおよび／またはボタンを使用することができる賭博機を提供するものである。
【００６９】
本発明の特定の実施形態は、インフォメーションセンタ、自動預金受払機（ＡＴＭ）、販売時点情報管理機（ＰＯＳ）、工業機械、ゲーム機、業務用ゲーム機、自動販売機、航空会社の電子チケット端末、レストランの予約端末、顧客サービスステーション等のコンピュータシステムを提供するものである。
【００７０】
次に、添付図面を参照しながら、本発明の特定の実施形態を例としてのみ説明する。
【図面の簡単な説明】
【００７１】
【図１】アクティブエリアの内部に複数の機械的ボタンを含むタッチスクリーンを有する賭博機を示す図である。
【図２】表示スクリーン上の、ボタンを内蔵するタッチパネルを示す、タッチスクリーンの一部分を通る断面図である。
【図３】タッチパネルのための駆動電極、センサ電極および縁部コネクタを示す図である。
【図４】タッチスクリーンのガラス製パネルにおける円形の貫通穴のまわりの駆動電極およびセンサ電極をより詳細に示す図である。
【図５】電極、タッチコントローラおよびホストコンピュータに対する接続をより詳細に示す概略図である。
【図６】交差ポイントのグリッドを示す図である。
【図７】丸穴のまわりの除外されないセルを示す図である。
【図８】アクティブエリアに相関する仮想フィールドにおける禁止エリアを示す図である。
【図９】正方形開口のまわりのセンサおよび駆動電極を示す図である。
【図１０】三角形開口のまわりの感知電極および駆動電極を示す図である。
【図１１Ａ】少なくとも１つの機械的入力デバイスを含むタッチパネルを製作するための製造ステップを示す図である。
【図１１Ｂ】少なくとも１つの機械的入力デバイスを含むタッチパネルを製作するための製造ステップを示す図である。
【図１１Ｃ】少なくとも１つの機械的入力デバイスを含むタッチパネルを製作するための製造ステップを示す図である。
【図１１Ｄ】少なくとも１つの機械的入力デバイスを含むタッチパネルを製作するための製造ステップを示す図である。
【図１１Ｅ】少なくとも１つの機械的入力デバイスを含むタッチパネルを製作するための製造ステップを示す図である。
【図１１Ｆ】少なくとも１つの機械的入力デバイスを含むタッチパネルを製作するための製造ステップを示す図である。
【図１１Ｇ】少なくとも１つの機械的入力デバイスを含むタッチパネルを製作するための製造ステップを示す図である。
【図１１Ｈ】少なくとも１つの機械的入力デバイスを含むタッチパネルを製作するための製造ステップを示す図である。
【発明を実施するための形態】
【００７２】
図面では、類似の参照数字は類似の部品を参照する。
【００７３】
この説明の全体にわたって表示器が参照される。表示器は、ユーザにユーザ情報を提供するグラフィカルユーザインターフェース（ＧＵＩ）を表示するように構成されている。表示デバイスは、任意選択でモノクロ表示器、カラー表示器でよく、任意選択で液晶表示器（ＬＣＤ）、有機発光ダイオード（ＯＬＥＤ）表示器、量子ドット表示器等でもよい。
【００７４】
本明細書では、透明なタッチパネルも後に参照する。この意味で、透明とは、人間のユーザがパネルを全面的に通して効果的に見ることを意味する。これは、非常に精細な小径電線またはＩＴＯ等の実質的に透明な材料などの非常に薄い電極を利用して、パネルの透明な基板の側に設けられる電極を生成することによって達成され得る。正味の効果は、人間のユーザが、感知電極および駆動電極を通して、表示された情報を見ることができることである。
【００７５】
タッチスクリーンのタッチパネルは、実際の１つまたは複数のタッチを、タッチパネルの表面における１つまたは複数のタッチイベントとして理解し、その後、この情報を表す信号をホストデバイスに出力する。ホストデバイスは、デスクトップコンピュータ、ハンドヘルドコンピュータもしくはタブレットコンピュータ、またはノートパソコンなどのコンピュータであり得る。ホストデバイスはタッチイベントに基づく行動を遂行する。
【００７６】
図１はゲーム機１００を示す。ゲーム機１００は、本発明の特定の実施形態が利用され得る機械の一例である。他のそのような機械は、インフォメーションセンタ、ＡＴＭ、工業機械等を含む。機械１００は、ゲームに関連したアートワーク区画１２０を含んでいるフロントパネル１１０を含む。アートワーク区画１２０は照明または他の視覚効果を含み得る。賭博機１００は、賭博機１００が置かれた床１４０から好都合な距離に配置されたボタンデッキ１３０を含む。ボタンデッキ１３０は、ユーザによって、ゲーム機１００にユーザ入力信号を供給するために利用される。紙幣スロット１５０または硬貨スロット１６０を含むそれぞれのユーザ支払いスロットが、支払い金ポット１７０とともに設けられている。
【００７７】
ボタンデッキ１３０は、間隔を置いた２つの機械的ボタン１９０、１９５とともにタッチスクリーン１８０を含む。各ボタンは透明な部分を含み、ボタン自体がタッチスクリーンの表示器の上に位置して光ガイドとして働く。このようにして、タッチスクリーンの表示器によって表示された像が、ゲーム機１００のユーザに対して通信され得る。本発明の特定の実施形態によれば、光ガイドとして働くことのない他のタイプのボタンが利用され得ることが、当業者には理解されよう。同様に、本発明の特定の実施形態によれば、ボタンの数、形状および位置は可変である。機械的ボタンは、いわゆる強打ボタンとして使用され得る。
【００７８】
図２は、図１に示されたタッチスクリーン１８０の一部分をより詳細に示すものである。とりわけ、図２はボタン１９０をより詳細に説明するための助けになる。ボタンは機械的入力デバイスの一例である。ボタン１９０は、ボタンハウジング２１０に対して動き得る中央の可動アクチュエータ２００を含む。ハウジングに対してアクチュエータを動かすユーザは、ボタンアクチュエータの上部を押し下げることができる。マイクロスイッチ等が押し下げを示す。ボタン１９０は、タッチスクリーンのタッチパネルのガラス基板２２０における貫通穴を通過する。本発明の特定の実施形態によれば、基板の穴２１５は必ずしも貫通穴ではなく、ボタンが位置する凹部領域でもよいことが理解されよう。基板の下面に、光学的に透明な感圧接着剤の層２２５が設けられている。基板の上面は、タッチスクリーンを活性化しようとするユーザから実際のタッチを受け取る面である。基板は、それ自体が複数の層から形成され得る。
【００７９】
電極２３０のグリッドは積層板の下面に設けられる。図示された電極のグリッド２３０は、プロッティング技術を利用して接着剤層２２５上に生成された細線のグリッドである。適切には、電線は４〜４０ミクロンの範囲の直径を有する。適切には、電線径は５〜１８ミクロンである。適切には、電線は薄い電気的絶縁材料でコーティングされる。電極グリッドは、本発明の特定の他の実施形態によって、ＩＴＯ層等の堆積など他の電極形成技術を使用して生成され得ることが理解されよう。
【００８０】
同様に光学的に透明なポリエステルフィルム層２３５が、電極グリッドの下面をカバーする。可撓ケーブル２４０が、周縁領域において配線電極に取り付けられている。可撓ケーブル２４０は、タッチコントローラに、または任意選択でホストゲーム機コンピュータに取り付けられる。可撓ケーブルをカバーして適所に保つためにテープ２４５が利用され得る。
【００８１】
タッチスクリーン１８０は、ボタン出力をボタンコントローラ２６０に接続するための透明な可撓ケーブル２５０も含む。これは、ホストゲーム機のコンピュータシステムに対して同様に接続される。表示器２７０はタッチパネルの下にある。このようにして、人間のユーザは、表示器２７０上に配置されたタッチパネルを通して、表示器の上面に表示された情報を見ることができる。表示された像または他のそのようなビジュアルキューを観察するユーザは、タッチパネルの上面の相対ポイントにタッチすること、および／またはタッチパネルのアクティブエリアの内部のボタンを押し下げることにより、それぞれのユーザ選択を行うユーザ入力を供給する。
【００８２】
図３は、タッチスクリーン用のパターンに配置された電極のグリッド２３０を説明するための助けになる。タッチパネルは容量性感知タッチパネルであり、したがって、それぞれコネクタ３００を介して駆動される駆動電極および読み取られるセンサ電極を含む。図３に示されるように、すべての電極が電極グリッドの単一の側から接続され得、タッチパネルの周囲は非常に薄くてよいことを意味する。
【００８３】
図３に示されるように、電極は、ボタン１９０、１９５が配置されているエリアを通過しない経路を有する。この意味で、第１の除外される区画３１０は、それぞれのボタン１９０が配置されている基板２２０の貫通穴に関連づけられており、さらなる除外される区画３２０は、さらなるボタン１９５が配置されている基板２２０の貫通穴に関連づけられている。図３に示されるように、電極の経路は、経路に対して除外されるそれぞれの区画に別々に近く、これを直近で囲み、それでなければ経路は、タッチパネルの、ボタンがないアクティブエリアの領域を辿る。長方形Ｒによって示された電極配列の内部領域が、タッチパネルのアクティブエリア３５０を画定する。
【００８４】
図４は、図１に示された左側のボタン１９５に対応する位置の丸穴を取り囲む電極の経路をより詳細に説明するための助けになる。
【００８５】
図４は貫通穴の縁部４００を示す。余地４１０は穴の縁部の直近を取り囲む環状の領域であり、電極は含有しない。適切には、余地の幅は１〜３ｍｍである。図４では、駆動電極およびセンサ電極は、上下にほぼ垂直に延び、左右に水平に延びる。本発明の特定の態様によれば他の配向が利用され得ることが理解されよう。明瞭さのために、図４の下部から上部に延びる１つの電極トラックは、肉太に強調されており、電極４２０とラベルが付いている。図４の左から右に延びるさらなる電極は、便宜上点線で示されている。この電極には４３０のラベルが付いている。電極グリッドのそれぞれの駆動電極およびセンサ電極は、繰返し型の入り組んだ経路を辿る。それぞれの駆動電極はそれぞれの交差ポイント４５０においてセンサ電極と交差し、各交差ポイント４５０は、タッチパネルのそれぞれのセルインデックスを有するそれぞれのセルの中心を定義する。図４に示されるように、示された駆動電極とセンサ電極の交差ポイントは、セルのそれぞれの中心を定義し、セルは、基板の穴の位置が違っていたら配置されたであろう位置からオフセットされており、したがって電極グリッドは妨害されない。このオフセット位置のために、タッチが不正確な位置において識別されかねないというリスクがある。
【００８６】
示されるように、電極４３０は、図４の左側から、実質的に直線の経路部分（ここで別の電極との交差ポイントが生じる）によって分離された２つの回旋状の経路部分を通り、次いで、電極の経路は、第２の回旋状の経路部分から、電極に近い縁部４００に対して実質的に直角に曲がって入り組んだ経路を辿る。そこで、経路は、直ぐに左へおよそ９０°曲がり、次いで、縁部４００から所定距離を維持しながら開口のまわりを追跡する。穴の縁部と実質的に平行な回避する経路部分が、縁部を追跡するように曲がるポイントに対応するポイントに到達したとき、経路は、曲がるポイントに対して局所的な縁部に対して外へ実質的に直角に曲がり、次いで、局所的縁部領域に対して直角に延びる短い経路部分を辿る。その直線の部分が所定距離にわたって延びた後に、電極経路は共通の繰り返される電極経路に戻る。すなわち、穴に近接していない電極が辿る他の経路に類似の邪魔されない経路を採用する。各電極経路は、穴の縁部４００から所定距離にあるポイントまで、邪魔されない電極経路パターンに一致する形状を有する。適切には、この距離は穴の縁部から約６ｍｍである。適切には、この距離は開口の穴の縁部から３〜７ｍｍである。
【００８７】
図５は、セル中心に関連したそれぞれの容量性ノードをもたらすセンサ電極と駆動電極の交差ポイントを有するグリッド２３０を概略的に示すものである。英国特許第２５０２６０１号明細書は、その開示が参照によって本明細書に組み込まれており、本発明の実施形態によって使用可能な、電極グリッドをもたらすための適切なプロッティング技術および制御器ユニットの態様を開示している。より詳細には、図５は、タッチ検知器ユニット５００の構成要素を示す概略図を提供する。タッチ検知器ユニット５００は、フレックステールコネクタ（図５には示されていない）を介して、Ｘ面およびＹ面の絶縁された導線を備えるマルチタッチ式タッチパネル５０２に接続されている。
【００８８】
タッチ検知器ユニット５００は、フレックステールコネクタを介してマルチタッチ感知パネル５０２のＸ面の絶縁された導線に接続されたマルチプレクサ５０４に入力される電圧パルス信号を生成するレベル生成回路５０３を含む。マルチプレクサ５０４は、Ｘ面の絶縁された導線のうち１つを選択して、これに、レベル生成回路５０３によって生成されたパルス信号を送る。電圧パルス信号からのエネルギーは、容量結合によって、マルチタッチ感知パネル５０２のＹ面の絶縁された導線に伝達される。
【００８９】
Ｙ面の絶縁された導線は、フレックステールコネクタを介して、マルチプレクサ配列５０５における複数のマルチプレクサＡ、Ｂ、Ｃのうち１つに接続されている。各マルチプレクサはそれぞれの受信回路５０６Ａ、５０６Ｂ、５０６Ｃに接続されている。Ｘ面の絶縁された導線上の電圧パルス信号の伝送のために、マルチプレクサ配列５０５の各マルチプレクサが、受信回路５０６Ａ、５０６Ｂ、５０６Ｃに接続されているそれぞれＹ面の絶縁された導線を接続するように配置されている。このようにして、マルチタッチ感知パネルの完全な走査が遂行される。
【００９０】
図５においてより詳細に示されるように、各受信回路５０６は、増幅器５０７、ピーク検知器５０８、ピーク検知器の充電スイッチ５０９、放電スイッチ５１０およびアナログデジタル変換器５１１を備える。そのプロセスは、それぞれのＹ面の絶縁された導線上の電圧パルス信号を測定するステップと、デジタル値としてマイクロプロセッサ５１２に出力するステップとを含む。最終的に、マルチタッチ感知パネル５０２の交差ポイントのすべてについて、デジタル値がマイクロプロセッサ５１２に送られる。
【００９１】
一旦、それぞれのＹ面の絶縁された導線上の電圧パルスに対応するすべてのデジタル値がマイクロプロセッサ５１２に入力されると、マイクロプロセッサは、これらの値を適切なフォーマットに変換し、次いで、検知された複数のユーザタッチに対応するマルチタッチ感知パネル５０２上のマルチタッチデータを、出力ライン５１３に出力する。
【００９２】
任意選択で、マイクロプロセッサは、ホストコンピュータシステムにデータを出力する前に、受け取った回路からの受け取られたデータを改善するためにさらなる処理を遂行する。たとえば、マイクロプロセッサは、除外されるセルの最新のリストを保持する記憶装置にアクセスすることができる。適切には、このリストは生産において設定される。マイクロプロセッサは、除外されるセルのリストに現在列記されているインデックスを有するセルにおいてタッチが受け取られたと判定した場合には、マイクロプロセッサはこれをタッチとしては無視し、タッチを示さない。このようにして、本発明の特定の実施形態によれば、マイクロプロセッサは、マルチタッチ感知パネル５０２のアクティブエリアの内部に穴があるという事実を組み込むことができる。あるいは、マイクロプロセッサは、タッチパネルのアクティブエリアに対応する対応エリアを有する仮想フィールドにアクセスすることができる。仮想フィールドに関するデータは、記憶装置に記憶され、ボタンまたは他のユーザ入力デバイスが配置されているタッチパネルのアクティブエリア上の位置に対応する１つまたは複数の禁止エリアを含む。仮想フィールドの細分性は高度である。すなわち、仮想フィールドは、各禁止エリアが任意の所望の輪郭を有する精細に定義された形状であり得るように、多くの識別可能な位置を有する。仮想フィールドおよび関連する禁止エリアは、マイクロプロセッサに関連した記憶装置５２０に記憶され、マイクロプロセッサによるアクセスが可能である。このようにして、マイクロプロセッサは、可能性のあるタッチを判定し、次いで、可能性のあるタッチを仮想フィールドの禁止エリアと比較することができる。補間されたタッチが仮想フィールド内の禁止エリアに含まれる場合には、マイクロプロセッサは、これを、可能性のあるタッチイベントとしては無視する。
【００９３】
図６は、駆動電極１．．．１０とセンサ電極Ａ．．．Ｊの交差ポイントに関連したセルインデックスＡ１．．．Ｊ１０を説明するための助けになる。
【００９４】
図７は、丸穴のまわりの領域におけるセルインデックスを説明するための助けになる。
【００９５】
図８は、タッチスクリーンのアクティブエリアに相関する仮想フィールドが禁止エリア（図８には２つ示されている）を含むことができる様子を説明するための助けになる。各禁止エリアは、タッチスクリーンの、ユーザ入力デバイスが配置された、タッチスクリーン入力信号を供給することができない領域に対応する。仮想フィールドの細分性は高度であり、したがって、禁止エリアは、したがって、様々な成形されたユーザ入力デバイスの除外される区画を画定し得る様々な形状を有し得ることを意味する。
【００９６】
図９は正方形の穴のまわりの電極経路を示す。
【００９７】
図１０は三角形の穴のまわりの電極経路を示す。
【００９８】
図１１Ａ〜図１１Ｈは、本発明の特定の実施形態によってタッチパネルが製造され得る様子を示すものである。ステップ１１Ａにおいて、１つまたは複数の穴１１１５が事前準備されているガラス製パネル１１２０に、光学的に透明な感圧接着剤１１２５が積層される。適切には、光学的に透明な接着剤（ＯＣＡまたは時には感圧接着剤ＰＳＡとしても知られている）がロール上に与えられる。ＯＣＡのロールは積層機上のスプール解除ドラムに当てはめられる。ガラスが１組のニップローラーに渡され、ＯＣＡが上部からスプール解除機を通ってニップローラーに送り込まれて、ガラスが２つのニップローラーの中心を通過する。ガラスがニップローラーを通過するとき、ガラス面にＯＣＡが塗布される。ＯＣＡ材料の流れをよくするためにローラーが加熱されてよい。ローラーの速度は、２つの表面の間のあらゆる気泡を積層から排出することを保証するように制御される。適切には、ニップローラーラミネータが使用され得る。あるいは、ＯＣＡは、手持ち式ローラーを使用して積層されてよく、湿ったＯＣＡ材料が与えられ得るようにガラスの表面に微量の石鹸／水を塗布してよい。接着剤は、積層の前または後に、基板１１２０の外側寸法に調節される。当業者には、基板用にガラス製パネルを使用することに加えて、プラスチック、ポリカーボネート、アクリル等、任意の他の適切な材料が使用され得ることが理解されよう。適切には、ガラス製パネルはおよそ０．５〜１５ｍｍの厚さのガラスを有する。適切には、ガラスの厚さは０．７〜１２ｍｍである。適切には、３ｍｍ、４ｍｍ、または６ｍｍの基板が使用される。適切には、光学的に透明な接着剤が使用される。適切には、接着剤の厚さは２０μｍ〜２５０μｍである。適切には、接着剤の厚さは２５μｍ〜２００μｍである。適切には、１２５μｍまたは１８８μｍの厚さが使用される。
【００９９】
図１１Ｂには、あらかじめ設計されたパターンの配線電極１１３０が接着剤表面に堆積されたものが示されている。適切には、電極はＣＮＣ電線引き回し機を使用して与えられ得る。使用される電極パターンは、電極ワイヤを、穴のまわりおよび外部にルーティングするものである。電極トラックを、タッチパネルの穴のまわりに所望のパターンで布設するために、リソグラフィ技術など他の技術が利用され得ることが理解されよう。細線を使用すると、リソグラフィで製作された電極トラックを「しぼる」必要性が回避され得る。
【０１００】
図１１Ｃに示されたステップでは、電極ワイヤ１１３０および接着剤１１２５の上に光学的に透明なポリエステルフィルム１１３５が積層される。適切には、ポリエステルフィルムはポリエチレンテレフタレート（ＰＥＴ）である。あるいは、積層のために曲がる薄いガラスが使用され得る。適切には、厚さはおよそ０．２ｍｍ〜０．７ｍｍである。あるいは、薄いアクリルが使用され得る。あるいは、薄いポリカーボネートが使用され得る。あるいは、トリアセチルセルロース（ＴＡＣ）が使用され得る。あるいは、ポリエチレンナフタレート（ＰＥＮ）フィルムが使用され得る。適切には、ＰＥＴフィルムの厚さは２０μｍ〜２５０μｍである。適切には、ＰＥＴフィルムの厚さは２５μｍ〜２００μｍである。適切には、ＰＥＴフィルムの厚さは１２５μｍまたは１８８μｍである。ポリエステルフィルム１１３５は、積層の前または後に、パネルの外側寸法に調節される。露出したままの接着剤および配線電極は、タッチパネルの縁部において可撓ケーブルの結合位置をもたらすことができる。
【０１０１】
図１１Ｄは、形成されているタッチパネルの周縁領域において露出した配線電極上に、次に可撓ケーブル１１４０が取り付けられ得る様子を示すものである。
【０１０２】
図１１Ｅは、可撓ケーブルおよび露出して隣接した接着剤エリアをカバーするためにポリイミドテープ１１４５を付けるステップを説明するための助けになる。
【０１０３】
図１１Ｆは、各穴１１１５の縁部において接着剤１１２５およびポリエステルフィルム１１３５をガラス縁までカットして減らすステップを示すものである。適切には、これは鋭い刀身のある器具を使用して実行される。
【０１０４】
図１１Ｇは、ホットバーのサーモードリフローはんだ付けプロセスを使用して、可撓ケーブルに、配線電極を電気的に接続するステップを説明するための助けになる。あるいは、レーザ溶接プロセスまたは他のそのような接続技術が使用され得る。適切には、電線は、サーモード／ホットバーのボンディングプロセスまたはレーザ溶接プロセス（ファイバレーザ）等を使用して、フレックステールパッドにはんだ付けされる。電線が銅線の中央芯材のまわりに薄い（およそ２μｍの）絶縁体層を有する場合には、絶縁体層は選択的に除去され得る。絶縁体層を除去するために、電線は、絶縁体が溶けて除去される温度まで加熱される。適切には、温度はおよそ４５０℃である。もちろん他の技術が使用され得る。接合エリアにおいて、電線は、電線の終端点に配置されたスズめっきの可撓ケーブルパッドに直接接触する。これら可撓テールパッドの背部を加熱すると、熱がパッドエリアに伝わり、個々のパッド上でスズのリフローが始まる。スズのこのリフローにより、個々の電線の絶縁体が溶ける。これによって絶縁体の下の電線の銅が露出し、スズパッドの各々と、個々の銅線の絶縁体が溶けて除去された個所の間に、金属間接合が形成される。
【０１０５】
図１１Ｈは、センサにボタン１１９０を当てはめるステップを説明するための助けになる。ボタン１１９０は、ボタン出力をボタンコントローラ１１６０に接続する透明な可撓ケーブル１１５０に接続されている。
【０１０６】
本明細書の説明および特許請求の範囲の全体にわたって、「〜を備える」および「〜を含有する」という語、ならびにそれらの変形は、「それに限らないが、〜を含む」ということを意味し、他の部分、添加物、構成要素、整数またはステップを除外することを意図するものではない（除外しない）。本明細書の説明および特許請求の範囲の全体にわたって、状況によって別様に必要とされなければ、単数は複数を包含する。詳細には、本明細書は、不定冠詞を使用する場合、状況によって別様に必要とされなければ単数ばかりでなく複数も企図するものと理解されたい。
【０１０７】
本発明の、特別な態様、実施形態または例に関連して説明された特徴、整数、特性またはグループは、互換性がないわけでなければ、本明細書で説明された任意の他の態様、実施形態または例に適用可能であるものと理解されたい。本明細書の（あらゆる添付の特許請求の範囲、要約および図面を含めて）開示された特徴のすべて、および／またはそのように開示されたあらゆる方法もしくはプロセスのステップのすべてが、特徴および／またはステップのうち少なくともいくつかが相互排除である組合せを除いて、任意の組合せで組み合わせることが可能である。本発明は、いかなる前述の実施形態のいかなる詳細にも限定されない。本発明は、本明細書で開示された（あらゆる添付の特許請求の範囲、要約および図面を含む）新規の特徴のうち１つ、または新規の組合せ、あるいは、そのように開示されたあらゆる方法またはプロセスのステップのうちの、あらゆる新規の１つまたはあらゆる新規の組合せに及ぶものである。
【０１０８】
読者の関心は、この出願に関連して本明細書と同時にまたは本明細書に先立って提出されて本明細書とともに一般閲覧に開放されているすべての論文および文献に向けられ、すべてのそのような論文および文献の内容は参照によって本明細書に組み込まれる。
【符号の説明】
【０１０９】
１００  ゲーム機
１１０  フロントパネル
１２０  アートワーク区画
１３０  ボタンデッキ
１４０  床
１５０  紙幣スロット
１６０  硬貨スロット
１７０  支払い金ポット
１８０  タッチスクリーン
１９０  機械的ボタン
１９５  機械的ボタン
２００  可動アクチュエータ
２１０  ボタンハウジング
２１５  基板の穴
２２０  ガラス基板
２２５  光学的に透明な感圧接着剤の層
２３０  電極
２３５  光学的に透明なポリエステルフィルム層
２４０  可撓ケーブル
２４５  テープ
２５０  可撓ケーブル
２６０  ボタンコントローラ
２７０  表示器
３００  コネクタ
３１０  除外される区画
３２０  除外される区画
３５０  タッチパネルのアクティブエリア
４００  貫通穴の縁部
４１０  余地
４２０  電極
４３０  電極
４５０  交差ポイント
５００  タッチ検知器ユニット
５０２  マルチタッチ感知パネル
５０３  レベル生成回路
５０４  マルチプレクサ
５０５  マルチプレクサ配列
５０６ａ  受信回路
５０６ｂ  受信回路
５０６ｃ  受信回路
５０７  増幅器
５０８  ピーク検知器
５０９  充電スイッチ
５１０  放電スイッチ
５１１  アナログデジタル変換器
５１２  マイクロプロセッサ
５１３  出力ライン
５２０  記憶装置
１１１５  穴
１１２０  ガラス製パネル
１１２５  感圧接着剤
１１３０  配線電極
１１３５  光学的に透明なポリエステルフィルム
１１４０  可撓ケーブル
１１４５  ポリイミドテープ
１１５０  可撓ケーブル
１１６０  ボタンコントローラ
１１９０  ボタン
【図１】
2020520015.tif 000003
【図２】
2020520015.tif 000004
【図３】
2020520015.tif 000005
【図４】
2020520015.tif 000006
【図５】
2020520015.tif 000007
【図６】
2020520015.tif 000008
【図７】
2020520015.tif 000009
【図８】
2020520015.tif 000010
【図９】
2020520015.tif 000011
【図１０】
2020520015.tif 000012
【図１１Ａ】
2020520015.tif 000013
【図１１Ｂ】
2020520015.tif 000014
【図１１Ｃ】
2020520015.tif 000015
【図１１Ｄ】
2020520015.tif 000016
【図１１Ｅ】
2020520015.tif 000017
【図１１Ｆ】
2020520015.tif 000018
【図１１Ｇ】
2020520015.tif 000019
【図１１Ｈ】
2020520015.tif 000020
【国際調査報告】
2020520015.tif 000021
2020520015.tif 000022
2020520015.tif 000023
2020520015.tif 000024
2020520015.tif 000025
2020520015.tif 000026